(57)【要約】  基地局内でユニークに割り当てられる識別子の再割り当てを低減する。  基地局（３ａ）〜（３ｃ）は、セル（Ｆｂ１）と、セル（Ｆｂ１）と重複部分を有するセル（Ｆａ１）〜（Ｆａ３）とを含むセル群を形成している。基地局（３ｄ）〜（３ｆ）は、セル（Ｆｂ２）と、セル（Ｆｂ２）と重複部分を有するセル（Ｆａ４），（Ｆａ５）とを含むセル群を形成している。割り当て部（１ａ）は、セル（Ｆａ１）〜（Ｆａ３），（Ｆｂ１）のセル群内のいずれかのセルに在圏する移動機（４）に対して、すでに割り当てているいずれかの無線通信用の識別子とも重複しない識別子を特定し、特定した識別子をセル（Ｆａ１）〜（Ｆａ３），（Ｆｂ１）のセル群に在圏する移動機（４）に対して新たに割り当てる。送信部（１ｂ）は、割り当て部（１ａ）によって移動機（４）に割り当てられた識別子を、基地局（３ａ）〜（３ｃ）を介して移動機（４）に送信する。
2010097949.tif 000002
【特許請求の範囲】
【請求項１】
複数の基地局によって形成される複数のセルを備えた移動通信システムにおいて通信の制御を行う通信制御装置において、
第１のセルと、該第１のセルと重複部分を有する１または複数のセルと、を含むセル群内のいずれかのセルに在圏する移動機に対して既に割り当てているいずれの無線通信用の識別子とも重複しない無線通信用の識別子を特定し、特定した該無線通信用の識別子を該セル群に在圏する移動機に対して新たに割り当てる割り当て部と、
前記割り当て部によって割り当てられた前記識別子を、前記移動機に送信する送信部と、
を有することを特徴とする通信制御装置。
【請求項２】
前記割り当て部は、前記移動機が前記セル群を跨って前記基地局に接続する場合、前記移動機の跨る前記セル群で共通の未使用の前記識別子を割り当てることを特徴とする請求の範囲第１項記載の通信制御装置。
【請求項３】
前記割り当て部は、前記移動機の跨る前記セル群の前記基地局を他の通信制御装置が制御する場合、前記他の通制御装置と交渉を行って共通の未使用の前記識別子を割り当てることを特徴とする請求の範囲第２項記載の通信制御装置。
【請求項４】
前記割り当て部は、前記セル群を跨って前記基地局に接続した前記移動機が１つまたは複数の前記セル群と接続しなくなったとき、接続先でなくなる前記セル群の前記識別子を解放することを特徴とする請求の範囲第２項記載の通信制御装置。
【請求項５】
前記割り当て部は、移動機内でユニークになるように割り当てられる無線通信用の移動機内識別子を前記移動機に割り当てることを特徴とする請求の範囲第１項記載の通信制御装置。
【請求項６】
前記割り当て部は、前記セル群を複数含むセル群内で前記識別子を重複しないように前記識別子を割り当てることを特徴とする請求の範囲第１項記載の通信制御装置。
【請求項７】
前記割り当て部は、前記移動機が前記セル群を跨って移動する場合、前記セル群を跨って前記基地局に接続しないように前記移動機を制御することを特徴とする請求の範囲第１項記載の通信制御装置。
【請求項８】
前記割り当て部は、前記移動機からハンドオーバ要求を受けると、前記移動機が接続すべき前記基地局の情報を前記移動機に通知することを特徴とする請求の範囲第１項記載の通信制御装置。
【請求項９】
複数の基地局によって形成される複数のセルを備えた移動通信システムにおいて通信の制御を行う通信制御装置の識別子割り当て方法において、
第１のセルと、該第１のセルと重複部分を有する１または複数のセルと、を含むセル群内のいずれかのセルに在圏する移動機に対して既に割り当てているいずれの無線通信用の識別子とも重複しない無線通信用の識別子を特定し、特定した該無線通信用の識別子を該セル群に在圏する移動機に対して新たに割り当てし、
前記移動機に割り当てられた前記識別子を、前記移動機に送信する、
ことを特徴とする通信制御装置の識別子割り当て方法。
【請求項１０】
複数の基地局によって形成される複数のセルを備えた移動通信システムおいて、
第１のセルと、該第１のセルと重複部分を有する１または複数のセルと、を含むセル群を形成する複数の基地局と、
前記セル群内のいずれかのセルに在圏する移動機に対して既に割り当てているいずれの無線通信用の識別子とも重複しない無線通信用の識別子を特定し、特定した該無線通信用の識別子を該セル群に在圏する移動機に対して新たに割り当てる割り当て部と、前記割り当て部によって割り当てられた前記識別子を、前記移動機に送信する送信部と、を有する通信制御装置と、
を有することを特徴とする移動通信システム。
【発明の詳細な説明】
【技術分野】
【０００１】
本件は基地局を制御する通信制御装置、通信制御装置の識別子割り当て方法、および移動通信システムに関する。
【背景技術】
【０００２】
近年、ＷｉＭＡＸ（Worldwide Interoperability for Microwave Access）という無線通信方式に関してＩＥＥＥ（Institute of Electrical and Electronics Engineers）において標準化作業が進められている。ＷｉＭＡＸには、移動しない加入者局（Subscriber Station）を対象とした規格であるＩＥＥＥ８０２．１６ｄと、移動する加入者局（Mobile Station）を対象とした規格であるＩＥＥＥ８０２．１６ｅとがある。また、ＩＥＥＥ８０２．１６ｅの次世代規格も現在標準化中である。【０００３】
ＩＥＥＥ８０２．１６ｅの次世代規格では、複数の周波数帯を用いて無線通信サービスを提供するマルチキャリア運用のサポートが要求仕様として定義されている。マルチキャリア運用では、複数の周波数帯を不連続な周波数帯で運用する場合がある。不連続な周波数帯で無線通信システムを運用する場合、セル半径は使用する周波数帯に依存するため、異なるセル半径で複数のセルを形成する場合がある。セルとは、ある基地局が発信する電波の電波到達範囲である。【０００４】
図２１は、セルの形成例を示した図である。図２１に示すように、基地局１０１は、周波数帯Ｆａの電波をセルＦａ１の大きさで放射している。基地局１０２は、周波数帯Ｆａの電波をセルＦａ２の大きさで放射しており、また、周波数帯Ｆｂの電波をセルＦｂ１の大きさで放射している。基地局１０３は、周波数帯Ｆａの電波をセルＦａ３の大きさで放射している。周波数帯Ｆａ，Ｆｂは、Ｆａ＞Ｆｂの周波数関係を有するとする。【０００５】
電波は、周波数が低いほど回り込みが大きく、見通し外通信（NLOS: Non Line of Sight）特性がよい。そのため、周波数の低いセルは、周波数の高いセルよりセル半径を大きくすることができる。図２１の例では、周波数帯Ｆａよりも周波数の低い周波数帯ＦｂのセルＦｂ１の方が、セルＦａ１〜Ｆａ３よりも広いセル半径で形成されている。また、図２１の例では、基地局１０２のセルＦｂ１は、基地局１０１，１０３のエリアをカバーしているので、基地局１０１，１０３は、周波数帯Ｆｂのセルを形成していない。【０００６】
図２１に示す基地局１０１〜１０３から伸びている先端が３つに別れている線は、基地局１０１〜１０３のアンテナ形状を模式化したものであり、セルＦａ１〜Ｆａ３，Ｆｂ１が、基地局１０１〜１０３を中心に放射し、形成されていることを示している。また、図２１では、セルＦａ１〜Ｆａ３とセルＦｂ１は、周波数帯の違いを示すため上下に分けて示しているが、セルＦａ１〜Ｆａ３は、セルＦｂ１に収容されている関係にある。【０００７】
図２１には、基地局１０１〜１０３と無線通信を行う移動機１１１が示してある。移動機１１１は、周波数帯Ｆａ，Ｆｂで無線通信するための２つの無線部（図中ＲＦ１，ＲＦ２）を有している。ＲＦ１は、周波数帯Ｆａで無線通信を行い、ＲＦ２は、周波数帯Ｆｂで無線通信を行う。【０００８】
移動機１１１のＲＦ１，ＲＦ２から伸びている線は、その線の終端と繋がっているセルにおいて、基地局１０１〜１０３と無線通信を行うことを示している。従って、図２１の例では、位置Ａに存在している移動機１１１のＲＦ１は、セルＦａ２において基地局１０２と周波数帯Ｆａで無線通信を行い、ＲＦ２は、セルＦｂ１において基地局１０２と周波数帯Ｆｂで無線通信を行うことを示している。【０００９】
ＩＥＥＥ８０２．１６ｅの次世代規格では、基地局が移動機に対し、無線通信の制御用の識別子を割り当てて制御を行う。識別子には、基地局の配下（基地局内）に存在している移動機にユニークに割り当てる識別子と、移動機内でユニークに割り当てる識別子とがある。基地局内でユニークに移動機に割り当てられる識別子は、基地局内に存在する複数の移動機において、それぞれ異なるように割り当てられる。移動機内でユニークに割り当てられる識別子は、移動機内でユニークであればよく、基地局内に存在する他の移動機の識別子と重なっていてもよい。【００１０】
例えば、図２１において、位置Ａに存在している移動機１１１は、ＲＦ１，ＲＦ２がともに基地局１０２に属している。この場合、基地局１０２は、移動機１１１に対して基地局１０２内でユニークな識別子と、移動機１１１内でユニークな識別子とを割り当てる。【００１１】
なお、従来、複数の不連続な周波数帯域を用いて同時に通信サービスを提供する無線通信システムが開示されている（例えば、特許文献１参照）。また、チャネル数を増やし、屋外および屋内の両環境で使用可能な無線ＬＡＮシステムが開示されている（例えば、特許文献２参照）。さらに、要求ＱｏＳと周波数帯ごとの変動特性の相違に追従した最適パラメータの設定およびマルチユーザスケジューリングを行う通信システムが開示されている（例えば、特許文献３参照）。
【特許文献１】国際公開第２００６／０８８０８２号
【特許文献２】特開２００３−１０１５０６号公報
【特許文献３】特開２００６−９４００５号公報
【発明の開示】
【発明が解決しようとする課題】
【００１２】
しかし、移動機の移動によって、移動機の有する無線部の一部が接続先基地局を変更すると、他の無線部の接続先基地局に変更がなくても、基地局内でユニークな制御用の識別子を再割り当てする場合が発生し、無線通信に影響が生じるという問題点があった。【００１３】
例えば、図２１において、移動機１１１は、位置Ａに存在し、基地局１０２に属しているとする。そして、移動機１１１は、基地局１０２から、例えば、基地局内でユニークな識別子‘１’が割り当てられているとする。【００１４】
移動機１１１は、位置Ａから位置Ｂに移動したとする。この場合、移動機１１１のＲＦ２は、同じ基地局１０２（セルＦｂ１）に接続したままであるが、ＲＦ１は、基地局１０３（セルＦａ３）に接続し、移動機１１１は、基地局１０２，１０３に接続していることになる。ここで、基地局１０３で識別子‘１’が空いていれば、移動機１１１にはそのまま同じ識別子‘１’を割り当てることができる。【００１５】
一方、基地局１０３に識別子‘１’が空いていなければ、基地局１０２，１０３は互いに交渉し、両方で空いている共通の識別子を移動機１１１に再割り当てする。例えば、基地局１０２，１０３の両方で識別子‘２’が空いていれば、識別子‘２’を移動機１１１に再割り当てする。【００１６】
なお、ＲＦ１，ＲＦ２が異なる基地局１０２，１０３に属することとなった場合に移動機１１１に共通の識別子を割り当てるのは、基地局１０２，１０３が、移動機１１１の複数の無線部を跨る共通の１つのＭＡＣ（Medium Access Control）エンティティを１つの移動機として見えるように制御するためである。例えば、移動機１１１が基地局１０２，１０３で別々の識別子を有することになると、基地局１０２，１０３は、移動機１１１のＭＡＣエンティティを１つの移動機として見えるように制御しているとはいえないからである。【００１７】
しかし、移動機１１１の移動によって識別子を再割り当てする場合、ＲＦ２に関しては接続先基地局に変更がないにも関わらず、識別子が変更される。この識別子の変更は、例えば、基地局１０２経由の通信コネクション上で送受信されるパケットの中断や、認証処理の再処理が発生し、ＲＦ２の無線通信に影響が生じる。【００１８】
本件はこのような点に鑑みてなされたものであり、ユニークに割り当てられる識別子の再割り当てを低減することができる通信制御装置を提供することを目的とする。
【課題を解決するための手段】
【００１９】
上記課題を解決するために、複数の基地局によって形成される複数のセルを備えた移動通信システムにおいて通信の制御を行う通信制御装置が提供される。この通信制御装置は、第１のセルと、該第１のセルと重複部分を有する１または複数のセルと、を含むセル群内のいずれかのセルに在圏する移動機に対して既に割り当てているいずれの無線通信用の識別子とも重複しない無線通信用の識別子を特定し、特定した該無線通信用の識別子を該セル群に在圏する移動機に対して新たに割り当てる割り当て部と、前記割り当て部によって割り当てられた前記識別子を、前記移動機に送信する送信部と、を有する。
【発明の効果】
【００２０】
上記通信制御装置によれば、ユニークに割り当てられる識別子の再割り当てを低減することができる。
本発明の上記および他の目的、特徴および利点は本発明の例として好ましい実施の形態を表す添付の図面と関連した以下の説明により明らかになるであろう。
【図面の簡単な説明】
【００２１】
【図１】通信制御装置を示した図である。
【図２】第１の実施の形態に係る無線通信システムの構成例を示した図である。
【図３】基地局内でユニークに割り当てられる識別子を説明する図である。
【図４】移動機内でユニークに割り当てられる識別子を説明する図である。
【図５】セルの形成および基地局のグループ化を説明する図である。
【図６】移動機のネットワークエントリを示したシーケンス図である。
【図７】無線通信システムのハンドオーバを示したシーケンス図である。
【図８】通信制御装置のブロック図である。
【図９】識別子管理テーブルのデータ構成例を示した図である。
【図１０】グループ管理テーブルのデータ構成例を示した図である。
【図１１】移動機のブロック図である。
【図１２】第２の実施の形態に係るセルの形成および基地局のグループ化を説明する図である。
【図１３】移動機のネットワークエントリを示したシーケンス図である。
【図１４】無線通信システムのハンドオーバを示したシーケンス図である。
【図１５】通信制御装置のブロック図である。
【図１６】グループクラス管理テーブルのデータ構成例を示した図である。
【図１７】グループ管理テーブルのデータ構成例を示した図である。
【図１８】第３の実施の形態に係るセルの形成および基地局のグループ化を説明する図である。
【図１９】無線通信システムのハンドオーバを示したシーケンス図である。
【図２０】通信制御装置のブロック図である。
【図２１】セルの形成例を示した図である。
【発明を実施するための最良の形態】
【００２２】
図１は、通信制御装置を示した図である。図１には、通信制御装置１，２の他に基地局３ａ〜３ｆ、位置Ａ〜Ｄに存在する場合の移動機４も示してある。基地局３ａは、周波数帯Ｆａの電波をセルＦａ１の大きさで放射している。基地局３ｂは、周波数帯Ｆａの電波をセルＦａ２の大きさで放射しており、また、周波数帯Ｆｂの電波をセルＦｂ１の大きさで放射している。基地局３ｃは、周波数帯Ｆａの電波をセルＦａ３の大きさで放射している。基地局３ｄは、周波数帯Ｆａの電波をセルＦａ４の大きさで放射している。基地局３ｅは、周波数帯Ｆｂの電波をセルＦｂ２の大きさで放射している。基地局３ｆは、周波数帯Ｆａの電波をセルＦａ５の大きさで放射している。周波数帯Ｆａ，Ｆｂは、Ｆａ＞Ｆｂの周波数関係を有するとする。移動機４は、複数の周波数帯Ｆａ，Ｆｂで無線通信するための無線部を有している。基地局３ａ〜３ｆから伸びている線および移動機４から伸びている線は、図２１で説明したのと同様であり、その説明を省略する。【００２３】
基地局３ａ〜３ｆは、第１のセルと、第１のセルと重複部分を有する１または複数のセルとを含むセル群を形成している。例えば、図１の例では、基地局３ａ〜３ｃは、セルＦｂ１と、セルＦｂ１と重複部分を有するセルＦａ１〜Ｆａ３とを含むセル群を形成している。基地局３ｄ〜３ｆは、セルＦｂ２と、セルＦｂ２と重複部分を有するセルＦａ４，Ｆａ５とを含むセル群を形成している。【００２４】
通信制御装置１は、割り当て部１ａおよび送信部１ｂを有している。通信制御装置２も図示していないが通信制御装置１と同様に割り当て部および送信部を有している。
割り当て部１ａは、セルＦａ１〜Ｆａ３，Ｆｂ１のセル群内のいずれかのセルに在圏する移動機４に対して、すでに割り当てているいずれかの無線通信用の識別子とも重複しない識別子を特定し、特定した識別子をセルＦａ１〜Ｆａ３，Ｆｂ１のセル群に在圏する移動機４に対して新たに割り当てる。【００２５】
送信部１ｂは、割り当て部１ａによって移動機４に割り当てられた識別子を、基地局３ａ〜３ｃを介して移動機４に送信する。
以下、通信制御装置１の動作を説明する。移動機４は、例えば、図１の位置Ａにおいて無線通信ネットワークにネットワークエントリするとする。通信制御装置１の割り当て部１ａは、セルＦａ１〜Ｆａ３，Ｆｂ１のセル群内で重複しない新たな識別子を移動機４に割り当てる。なお、移動機４の位置Ａでの接続先基地局は、基地局３ａ，３ｂである。【００２６】
移動機４が位置Ａから位置Ｂに移動したとする。この場合、移動機４の１つの無線部は、基地局３ａの接続先を基地局３ｂに変更することになるが、移動機４に割り当てられている識別子は、セルＦａ１〜Ｆａ３，Ｆｂ１のセル群内でユニークなので、割り当て部１ａは、再割り当てを行わなくてよい。【００２７】
移動機４が位置Ｃに移動したとする。この場合、移動機４は、セルＦａ１〜Ｆａ３，Ｆｂ１のセル群と、セルＦａ４，Ｆａ５，Ｆｂ２のセル群とを跨って、基地局３ｃ，３ｄに接続する。割り当て部１ａは、移動機４に割り当てる識別子がセルＦａ１〜Ｆａ３，Ｆｂ１のセル群と、セルＦａ４，Ｆａ５，Ｆｂ２のセル群で重複しないように、セルＦａ１〜Ｆａ３，Ｆｂ１のセル群と、セルＦａ４，Ｆａ５，Ｆｂ２のセル群で共通の未使用の識別子を割り当てる。例えば、割り当て部１ａは、通信制御装置２と通信して、セルＦａ１〜Ｆａ３，Ｆｂ１のセル群と、セルＦａ４，Ｆａ５，Ｆｂ２のセル群で共通の未使用の識別子を割り当てる。【００２８】
移動機４が位置Ｄに移動したとする。この場合、移動機４の接続先基地局は、セルＦａ４，Ｆａ５，Ｆｂ２のセル群の基地局３ｄ，３ｅとなる。移動機４は、位置Ｃにおいて、セルＦａ１〜Ｆａ３，Ｆｂ１のセル群と、セルＦａ４，Ｆａ５，Ｆｂ２のセル群において未使用の識別子を割り当てられているので、そのまま識別子を利用して無線通信することができる。【００２９】
このように、通信制御装置は、第１のセルと、第１のセルと重複部分を有する１または複数のセルと、を含むセル群内のいずれかのセルに在圏する移動機に対して既に割り当てているいずれの無線通信用の識別子とも重複しない識別子を特定し、特定した識別子をセル群に在圏する移動機に対して新たに割り当てる。これにより、セル群内で識別子の再割り当てが発生せず、ユニークに割り当てられる識別子の再割り当てを低減することができる。【００３０】
第１の実施の形態を、図面を参照して詳細に説明する。
図２は、第１の実施の形態に係る無線通信システムの構成例を示した図である。図２に示すように、通信制御装置１１ａ，１１ｂは、コアネットワーク１４に接続されている。通信制御装置１１ａには、基地局１２ａ〜１２ｃが接続され、通信制御装置１１ｂには、基地局１２ｄ〜１２ｆが接続されている。【００３１】
通信制御装置１１ａ，１１ｂは、例えば、ＡＳＮ−ＧＷ（Access Service Network-Gateway）である。通信制御装置１１ａ，１１ｂは、例えば、基地局１２ａ〜１２ｆおよび移動機１３と、コアネットワーク１４との間のデータのやり取りを可能にし、また、基地局１２ａ〜１２ｆの制御やハンドオーバ制御を行う。【００３２】
基地局１２ａ〜１２ｆは、移動機１３と無線通信を行う。図２に示す基地局１２ａ〜１２ｆと移動機１３は、例えば、ＷｉＭＡＸの無線方式によって無線通信を行う。移動機１３は、例えば、携帯電話や情報端末装置などである。移動機１３は、複数の周波数帯で基地局１２ａ〜１２ｆと無線通信することができる無線部を有している。【００３３】
通信制御装置１１ａ，１１ｂは、基地局１２ａ〜１２ｆが移動機１３を制御するための制御用の識別子を移動機１３に割り当てる。識別子には、基地局１２ａ〜１２ｆ内でユニークに割り当てられる識別子と、移動機１３内でユニークに割り当てられる識別子とがある。通信制御装置１１ａ，１１ｂがこれらの識別子を管理し、移動機１３に割り当てる。【００３４】
図３は、基地局内でユニークに割り当てられる識別子を説明する図である。図３には、図２で示した基地局１２ａが示してある。また、図２で示した移動機１３と移動機１３ａとが示してある。移動機１３，１３ａは、基地局１２ａに属しているとする。【００３５】
移動機１３，１３ａには、矢印Ａ１に示すように、基地局１２ａ内でユニークな制御用の識別子が割り当てられる。すなわち、移動機１３，１３ａには、異なる値の識別子が通信制御装置１１ａ，１１ｂによって割り当てられる。【００３６】
基地局内でユニークに割り当てられる識別子には、例えば、Station Identifier（以下ＳＩＤ）がある。ＳＩＤは、基地局１２ａ〜１２ｆと移動機１３，１３ａ間の各種制御メッセージの中で送受信される。【００３７】
移動機１３，１３ａには、例えば、製造時等に予め固有な識別子であるＭＡＣアドレスが付与されているが、このＭＡＣアドレスは比較的長いビット長を有するので、各種制御メッセージ中で毎回送受信すると、オーバヘッドが大きくなってしまう。そこで、ＭＡＣアドレスよりビット長の短いＳＩＤを用いることでオーバヘッドの削減を図っている。【００３８】
基地局内でユニークに割り当てる識別子には、ＳＩＤの他に、基地局１２ａと移動機１３，１３ａ間の通信コネクションを識別するConnection ID（以下ＣＩＤ）や、フローＩＤ、スリープモードの移動機１３，１３ａの状態を制御するためのスリープＩＤ（以下ＳＬＰＩＤ）などがある。ＣＩＤは、例えば、基地局１２ａと移動機１３の間で複数コネクションが張られる場合、その複数のコネクションを識別するようにユニークに割り当てられる。【００３９】
なお、後述するが、通信制御装置１１ａ，１１ｂは、基地局１２ａ〜１２ｆを基地局１２ａ〜１２ｃと基地局１２ｄ〜１２ｆとでグループ化し、グループ内でユニークになるように上記の識別子を移動機１３に割り当てる。通信制御装置１１ａ，１１ｂは、それぞれのグループ内でユニークになるように識別子を割り当てるので、それぞれのグループの基地局１２ａ〜１２ｆ内における識別子は、ユニークな値となる。【００４０】
図４は、移動機内でユニークに割り当てられる識別子を説明する図である。図４には、図２で示した基地局１２ａが示してある。また、図２で示した移動機１３と移動機１３ａとが示してある。移動機１３，１３ａは、基地局１２ａに属しているとする。【００４１】
移動機１３，１３ａには、矢印Ａ２，Ａ３に示すように、移動機１３，１３ａ内でユニークな識別子が割り当てられる。すなわち、移動機１３，１３ａには、それぞれの移動機１３，１３ａ内で異なる値の識別子が通信制御装置１１ａ，１１ｂによって割り当てられる。【００４２】
移動機１３，１３ａ内でユニークに割り当てられる識別子には、例えば、Power＿Saving＿Class＿ID（以下、ＰＳＣＩＤ）がある。ＰＳＣＩＤとは、スリープモードのリスニングウィンドウ（Listening Windows・登録商標）とスリープウィンドウ（Sleep Windows）を規定するパラメータセットを識別する識別子である。移動機１３，１３ａが新たなパラメータセットを定義する場合は、通信制御装置１１ａ，１１ｂは、その移動機内で使用していないＰＳＣＩＤを割り当てる。【００４３】
次に、図２の無線通信システムにおけるセルの形成および基地局１２ａ〜１２ｆのグループ化について説明する。
図５は、セルの形成および基地局のグループ化を説明する図である。図５において図２と同じものには同じ符号を付し、その説明を省略する。なお、図５には、位置Ａ〜Ｅに存在する場合の移動機１３が示してある。【００４４】
図５に示すように、基地局１２ａは、周波数帯Ｆａの電波をセルＦａ１の大きさで放射している。基地局１２ｂは、周波数帯Ｆａの電波をセルＦａ２の大きさで放射しており、また、周波数帯Ｆｂの電波をセルＦｂ１の大きさで放射している。基地局１２ｃは、周波数帯Ｆａの電波をセルＦａ３の大きさで放射している。基地局１２ｄは、周波数帯Ｆａの電波をセルＦａ４の大きさで放射している。基地局１２ｅは、周波数帯Ｆｂの電波をセルＦｂ２の大きさで放射している。基地局１２ｆは、周波数帯Ｆａの電波をセルＦａ５の大きさで放射している。周波数帯Ｆａ，Ｆｂは、Ｆａ＞Ｆｂの周波数関係を有するとする。セルＦａ１〜Ｆａ５，Ｆｂ１，Ｆｂ２は、例えば、基地局の送信電力を制御することにより、図５に示すように形成することができる。【００４５】
移動機１３は、複数の周波数帯Ｆａ，Ｆｂで無線通信するための無線部（図中ＲＦ１，ＲＦ２）を有している。ＲＦ１は、周波数帯Ｆａで無線通信を行い、ＲＦ２は、周波数帯Ｆｂで無線通信を行う。なお、基地局１２ａ〜１２ｆから伸びている線および移動機１３のＲＦ１，ＲＦ２から伸びている線は、図２１で説明したのと同様であり、その説明を省略する。【００４６】
基地局１２ａ〜１２ｆは、セル半径の大きいセルがセル半径の小さいセルを収容するようにグループ化される。また、基地局１２ａ〜１２ｆは、小さい半径のセルが複数の大きい半径のセルに跨っている場合、多く重なっている大きいセルに収容されるようにグループ化される。【００４７】
例えば、セルＦｂ１は、自分よりセル半径の小さいセルＦａ１〜Ｆａ３を収容している。従って、セルＦａ１〜Ｆａ３，Ｆｂ１を放射している基地局１２ａ〜１２ｃは、１つのグループＧ１としてグループ化される。また、セルＦｂ２は、自分よりセル半径の小さいセルＦａ４，Ｆａ５を収容している。従って、セルＦａ４，Ｆａ５，Ｆｂ２を放射している基地局１２ｄ〜１２ｆは、１つのグループＧ２としてグループ化される。なお、セルＦａ３は、セルＦｂ１，Ｆｂ２に跨っているが、セルＦｂ２よりセルＦｂ１の方に多く重なっているので、基地局１２ｃは、グループＧ１にグループ化される。【００４８】
通信制御装置１１ａ，１１ｂは、基地局１２ａ〜１２ｆ内でユニークに割り当てられる識別子（以下、基地局内識別子と呼ぶこともある）を管理し、グループＧ１，Ｇ２内でユニークになるように割り当てる。例えば、グループＧ１にグループ化された基地局１２ａ〜１２ｃは、通信制御装置１１ａの配下にある。従って、通信制御装置１１ａは、基地局１２ａ〜１２ｃ内でユニークに割り当てられる識別子を、グループＧ１内でユニークになるように割り当てる。また、グループＧ２にグループ化された基地局１２ｄ〜１２ｆは、通信制御装置１１ｂの配下にある。従って、通信制御装置１１ｂは、基地局１２ｄ〜１２ｆ内でユニークに割り当てられる識別子を、グループＧ２内でユニークになるように割り当てる。また、通信制御装置１１ａ，１１ｂは、移動機１３内でユニークに割り当てられる識別子（以下、移動機内識別子と呼ぶこともある）を割り当てる。【００４９】
通信制御装置１１ａ，１１ｂは、移動機１３が移動し、グループＧ１，Ｇ２を跨ってセルＦａ１〜Ｆａ５，Ｆｂ１，Ｆｂ２と接続する場合、グループＧ１，Ｇ２で未使用の基地局内識別子を移動機１３に割り当てる。通信制御装置１１ａ，１１ｂは、他のグループＧ１，Ｇ２の基地局１２ａ〜１２ｆを管理する通信制御装置１１ａ，１１ｂと互いに通信して、未使用の基地局内識別子を交渉し、移動機１３に割り当てる。【００５０】
通信制御装置１１ａ，１１ｂは、グループＧ１，Ｇ２を跨って接続していた移動機１３が１つまたは複数のグループＧ１，Ｇ２と接続関係を持たなくなるようになったとき、接続先でなくなるグループＧ１，Ｇ２において、使用していた基地局内識別子を解放する。【００５１】
図５において、移動機１３は、例えば、位置Ａにおいて電源をオンし、無線通信システムにネットワークエントリしたとする。以下では、基地局内識別子としてＳＩＤを例にして説明する。【００５２】
通信制御装置１１ａは、移動機１３のネットワークエントリにより、グループＧ１内でユニークなＳＩＤを移動機１３に割り当てる。例えば、通信制御装置１１ａは、ＳＩＤ＝１を移動機１３に割り当てたとする。位置Ａでは、移動機１３のＲＦ１の接続先は、基地局１２ａであり、移動機１３のＲＦ２の接続先は、基地局１２ｂである。【００５３】
移動機１３は、位置Ａから位置Ｂに移動したとする。移動機１３のＲＦ２の接続先は、位置Ａから位置Ｂへ移動しても基地局１２ｂのままで変更はないが、ＲＦ１の接続先は、基地局１２ａから基地局１２ｂへ切り替わる。移動機１３には、グループＧ１内でユニークなＳＩＤが割り当てられているので、グループＧ１内で接続先基地局が変わっても、ＳＩＤの再割り当ての処理は行わなくてよい。よって、移動機１３のＳＩＤは、ＳＩＤ＝１のままである。【００５４】
移動機１３は、位置Ｂから位置Ｃへ移動したとする。移動機１３のＲＦ２の接続先は、位置Ｂから位置Ｃへ移動しても基地局１２ｂのままで変更はないが、ＲＦ１の接続先は、基地局１２ｂから基地局１２ｃへ切り替わる。位置Ｂから位置Ｃへの移動は、位置Ａから位置Ｂへの移動と同様に同一のグループＧ１内での移動である。移動機１３には、グループＧ１内でユニークなＳＩＤが割り当てられているので、グループＧ１内で接続先基地局が変わっても、ＳＩＤの再割り当ての処理は行わなくてよい。よって、移動機１３のＳＩＤは、ＳＩＤ＝１のままである。【００５５】
移動機１３は、位置Ｃから位置Ｄへ移動したとする。移動機１３のＲＦ１の接続先は、グループＧ１の基地局１２ｃのままで変更はないが、ＲＦ２の接続先は、グループＧ１，Ｇ２を跨って、基地局１２ｂから基地局１２ｅへと切り替わる。この場合、通信制御装置１１ａ，１１ｂは、移動機１３がグループＧ１，Ｇ２を跨って接続先基地局を変えているので、グループＧ１，Ｇ２で未使用のＳＩＤを移動機１３に割り当てる。例えば、グループＧ１，Ｇ２で未使用のＳＩＤは、ＳＩＤ＝２であったとする。この場合、通信制御装置１１ａは、移動機１３にＳＩＤ＝２を割り当てる。【００５６】
移動機１３は、位置Ｄから位置Ｅへ移動したとする。移動機１３のＲＦ２の接続先は、グループＧ２の基地局１２ｅのままで変更はないが、ＲＦ１の接続先は、グループＧ１の基地局１２ｃからグループＧ２の基地局１２ｄへ切り替わる。【００５７】
移動機１３は、位置Ｄから位置Ｅへの移動により、グループＧ２に属する基地局１２ｄ，１２ｅに接続が切り替わる。移動機１３には、位置Ｃから位置Ｄへの移動の際、グループＧ２で未使用のＳＩＤ＝２が割り当てられているので、通信制御装置１１ａ，１１ｂは、移動機１３の位置Ｄから位置Ｅへの移動によって、ＳＩＤを再割り当てしなくてよい。また、移動機１３は、グループＧ２に属する基地局１２ｄ，１２ｅと接続しているので、グループＧ１では、ＳＩＤ＝２を開放することができる。これにより、グループＧ１では、他の移動機にＳＩＤ＝２を割り当てることが可能となる。【００５８】
図６は、移動機のネットワークエントリを示したシーケンス図である。図６には、図５で示した移動機１３、基地局１２ａ，１２ｂ、および通信制御装置１１ａのシーケンスが示してある。移動機１３は、図５の位置Ａにおいて、ネットワークエントリを行うとする。【００５９】
ステップＳ１において、移動機１３は、基地局１２ａと同期をとる（Synchronize）。
ステップＳ２において、移動機１３は、基地局１２ａと送信電力の調整を行う（Adjust transmission power）。【００６０】
ステップＳ３において、移動機１３は、基地局１２ａと互いのサポートしている機能を交換する（Exchange capability）。
ステップＳ４ａ，Ｓ４ｂにおいて、通信制御装置１１ａは、基地局１２ａを介して、移動機１３の認証を行う（Authentication）。【００６１】
ステップＳ５において、移動機１３は、基地局１２ｂと同期をとる（Synchronize）。
ステップＳ６において、移動機１３は、基地局１２ｂと送信電力の調整を行う（Adjust transmission power）。【００６２】
ステップＳ７において、移動機１３は、無線通信ネットワークに自身の登録要求を行うため、基地局１２ａに登録要求を送信する（REG-REQ: Registration Request）。移動機１３は、登録要求を送信する際、ＲＦ１，ＲＦ２の接続する基地局を指定する。図５の例では、ＲＦ１は、接続先として基地局１２ａ（図６中ではＢＳ１）を指定し、ＲＦ２は、接続先として基地局１２ｂ（図６中ではＢＳ２）を指定する。従って、移動機１３は、例えば、ＲＦ１＝ＢＳ１，ＲＦ２＝ＢＳ２の情報を含む登録要求を送信する。【００６３】
ステップＳ８において、基地局１２ａは、移動機１３から受信した登録要求を通信制御装置１１ａに送信する。基地局１２ａは、例えば、MS＿Attachment＿Reqメッセージを利用して、移動機１３から受信した登録要求を通信制御装置１１ａに送信する。【００６４】
ステップＳ９において、通信制御装置１１ａは、グループＧ１内でユニークな未使用のＳＩＤを取得する。例えば、通信制御装置１１ａは、ＳＩＤ＝１を取得したとする。通信制御装置１１ａは、移動機１３の接続先の１つである基地局１２ａに、ＳＩＤ＝１を送信する。通信制御装置１１ａは、例えば、MS＿Attachment＿Rspメッセージを利用して、取得したＳＩＤを基地局１２ａに送信する。【００６５】
ステップＳ１０において、通信制御装置１１ａは、ステップＳ９で取得したＳＩＤ＝１を、移動機１３の接続先の１つである基地局１２ｂに送信する。通信制御装置１１ａは、例えば、MS＿Attachment＿Rspメッセージを利用して、取得したＳＩＤ＝１を基地局１２ｂに送信する。【００６６】
ステップＳ１１において、基地局１２ａは、登録要求の応答を移動機１３に送信する（REG-RSP: Registration Response）。このとき、基地局１２ａは、通信制御装置１１ａから受信したＳＩＤ＝１を移動機１３へ送信する。【００６７】
ステップＳ１２において、基地局１２ａは、移動機登録応答を通信制御装置１１ａに返す。基地局１２ａは、例えば、MS＿Attachment＿Ackメッセージを利用して、移動機登録応答を通信制御装置１１ａに返す。【００６８】
ステップＳ１３において、基地局１２ｂは、移動機登録応答を通信制御装置１１ａに返す。基地局１２ｂは、例えば、MS＿Attachment＿Ackメッセージを利用して、移動機登録応答を通信制御装置１１ａに返す。【００６９】
以上のシーケンスによって、移動機１３は、グループＧ１でユニークなＳＩＤが割り当てられる。
なお、ステップＳ１〜Ｓ６では、移動機１３のＲＦ１がＲＦ２より先に、同期処理および送信電力処理を行っているが、同時、または、逆であってもよい。また、移動機１３のＲＦ１が、機能交換と認証処理を行うメッセージのやり取りを行っているが、ＲＦ２がこれらのメッセージのやり取りを行ってもよい。【００７０】
また、移動機１３の接続先となる基地局１２ａ，１２ｂは、ともに通信制御装置１１ａからＳＩＤを受信する（ステップＳ９，Ｓ１０）。図６のシーケンスでは、基地局１２ａ，１２ｂのうち、登録要求を受信した基地局１２ａが、通信制御装置１１ａから受信したＳＩＤを移動機１３に送信しているが、基地局１２ｂが通信制御装置１１ａから受信したＳＩＤを移動機１３に送信するようにしてもよい。移動機１３は、ＲＦ２で基地局１２ｂからＳＩＤを受信することになる。【００７１】
図７は、無線通信システムのハンドオーバを示したシーケンス図である。図７には、図５で示した移動機１３、基地局１２ｃ〜１２ｅ、および通信制御装置１１ａ，１１ｂのシーケンスが示してある。図７には、移動機１３が図５の位置Ｃから位置Ｄ、位置Ｄから位置Ｅへ移動したときのハンドオーバシーケンスが示してある。【００７２】
ステップＳ２１において、移動機１３は、位置Ｃから位置Ｄへ移動するので、ＲＦ２の接続先を基地局１２ｂから基地局１２ｅへ変更する。移動機１３は、ＲＦ２の接続先基地局を基地局１２ｅへ変更するため、ＲＦ１の接続先である基地局１２ｃに対し、ハンドオーバ（ＨＯ）要求を行う。移動機１３は、例えば、MOB＿MSHO-REQメッセージに、ＲＦ２の接続先を基地局１２ｅに変更する旨の情報（例えば、TargetBS＿RF2=BS5（ＢＳ５は基地局１２ｅを示す））を含めて基地局１２ｃに送信する。【００７３】
ステップＳ２２において、基地局１２ｃは、移動機１３からのＨＯ要求を受けて、自身を制御する通信制御装置１１ａにＨＯ要求を行う。基地局１２ｃは、例えば、HO＿ReqメッセージにTargetBS＿RF2=BS5を含めて、通信制御装置１１ａにＨＯ要求を行う。【００７４】
ステップＳ２３において、通信制御装置１１ａは、ＲＦ２のＨＯ後の接続先基地局となる基地局１２ｅの属するグループＧ２の、ＳＩＤの割り当て処理を行う通信制御装置１１ｂと、未使用のＳＩＤの交渉を行う。ここでは、例えば、通信制御装置１１ａ，１１ｂでＳＩＤ＝２が未使用であったとする。【００７５】
ステップＳ２４において、通信制御装置１１ａは、基地局１２ｃに対し、ＨＯ応答を行う。通信制御装置１１ａは、例えば、HO-Rspメッセージに通信制御装置１１ｂとの交渉で取得したＳＩＤ＝２の情報を含めてＨＯ応答を行う。【００７６】
ステップＳ２５において、基地局１２ｃは、移動機１３に対し、ＨＯ応答を行う。基地局１２ｃは、例えば、MOB＿BSHO-RSPメッセージにＳＩＤ＝２の情報を含めてＨＯ応答を行う。なお、ステップＳ２４までは、ハンドオーバ準備段階（HO Preparation Phase）における事前割り当て（Pre-allocate）処理であり、ＳＩＤ＝２を実際に使用するのは、ステップＳ２６ａ〜Ｓ２６ｃのハンドオーバ実行段階（HO Action Phase）を経た後である。【００７７】
ステップＳ２６ａ〜Ｓ２６ｃにおいて、移動機１３、基地局１２ｃ，１２ｅ、および通信制御装置１１ａ，１１ｂは、ハンドオーバの制御メッセージを送受信してＨＯ処理を行う。これにより、移動機１３のＲＦ２は、接続先基地局を基地局１２ｅに変更する。移動機１３のＲＦ１は、接続先基地局の変更はなく基地局１２ｃのままである。【００７８】
ステップＳ２７において、移動機１３は、位置Ｄから位置Ｅに移動するとする。移動機１３は、この移動により、ＲＦ１の接続先基地局を基地局１２ｄに変更する。移動機１３は、ＲＦ１の接続先基地局を基地局１２ｄへ変更するため、ＲＦ２の接続先である基地局１２ｅに対し、ＨＯ要求を行う。移動機１３は、例えば、MOB＿MSHO-REQメッセージに、TargetBS＿RF1=BS4（ＢＳ４は基地局１２ｄを示す）を含めて基地局１２ｅに送信する。【００７９】
ステップＳ２８において、基地局１２ｅは、移動機１３からのＨＯ要求を受けて、自身を管理する通信制御装置１１ｂにＨＯ要求を行う。基地局１２ｅは、例えば、HO-ReqメッセージにTargetBS＿RF1=BS4を含めて、通信制御装置１１ｂにＨＯ要求を行う。【００８０】
ステップＳ２９において、通信制御装置１１ｂは、基地局１２ｅに対し、ＨＯ応答を行う。このとき、通信制御装置１１ｂは、ＨＯ後の接続先基地局である基地局１２ｄの属するグループＧ２に関しては、すでに移動機１３に対してグループＧ２でユニークなＳＩＤ＝２を割り当てており、その割り当て済みのＳＩＤ＝２を基地局１２ｅに送信する。通信制御装置１１ｂは、例えば、HO-RspメッセージにＳＩＤ＝２を含めて基地局１２ｅに送信する。なお、通信制御装置１１ｂは、移動機１３のＲＦ１，ＲＦ２の接続先基地局がともにグループＧ２に属し、グループＧ１と接続関係を持たなくなった旨を記憶しておく。【００８１】
ステップＳ３０において、基地局１２ｅは、移動機１３に対し、ＨＯ応答を行う。基地局１２ｅは、例えば、MOB＿BSHO-RSPメッセージに、すでに移動機１３に割り当てられているＳＩＤ＝２を含めてＨＯ応答を行う。【００８２】
ステップＳ３１ａ〜Ｓ３１ｃにおいて、移動機１３、基地局１２ｄ，１２ｅ、および通信制御装置１１ａ，１１ｂは、ハンドオーバの制御メッセージを送受信してＨＯ処理を行う。これにより、移動機１３のＲＦ１は、接続先基地局を基地局１２ｄに変更する。移動機１３のＲＦ２は、接続先基地局の変更はなく基地局１２ｅのままである。【００８３】
ステップＳ３２において、移動機１３がグループＧ１と接続関係を持たなくなった旨を記憶しておいた通信制御装置１１ｂは、グループＧ１で使用していたＳＩＤ＝２をリリースするように通信制御装置１１ａに通知する。【００８４】
これにより、移動機１３は、引き続きＨＯ前と同一のＳＩＤ＝２を使用することができる。また、移動機１３の接続先でなくなるグループＧ１では、ＳＩＤ＝２のリリースにより、ＳＩＤ＝２を他の移動機に割り当てることができる。【００８５】
なお、移動機１３は、ステップＳ２１において、ＲＦ１の接続先である基地局１２ｃに対しＨＯ要求を行っているが、ＲＦ２の接続先である基地局１２ｂに対しＨＯ要求を行ってもよい。この場合、ＨＯのメッセージのやり取りは、基地局１２ｂを介して行われる。【００８６】
また、移動機１３は、ステップＳ２７において、ＲＦ２の接続先である基地局１２ｅに対しＨＯ要求を行っているが、ＲＦ１の接続先である基地局１２ｃに対しＨＯ要求を行ってもよい。この場合、ＨＯのメッセージのやり取りは、基地局１２ｃを介して行われる。【００８７】
また、上記では、通信制御装置１１ｂが通信制御装置１１ａに対し識別子の解放要求を行っているが、通信制御装置１１ａがハンドオーバ処理の終了を認識して移動機１３に割り当てていた基地局内識別子および移動機内識別子を解放するようにしてもよい。【００８８】
図８は、通信制御装置のブロック図である。図８に示すように、通信制御装置１１ａは、割り当て部２１、ネットワークエントリ処理部２２、ハンドオーバ処理部２３、およびグループ管理部２４を有している。割り当て部２１は、例えば、図１における割り当て部１ａに対応し、ネットワークエントリ処理部２２およびハンドオーバ処理部２３は、送信部１ｂに対応する。【００８９】
割り当て部２１は、識別子管理テーブルを有している。グループ管理部２４は、グループ管理テーブルを有している。まず、これらのテーブルについて説明する。
図９は、識別子管理テーブルのデータ構成例を示した図である。図９に示すように、割り当て部２１の識別子管理テーブル２１ａは、識別子種別、使用済み値、移動機、および接続先基地局の欄を有している。【００９０】
識別子種別の欄には、移動機１３に割り当てられる基地局内識別子および移動機内識別子の種別が格納される。例えば、ＳＩＤ，ＣＩＤ，ＳＬＰＩＤ，ＰＳＣＩＤなどが格納される。使用済み値の欄には、識別子種別の欄の識別子に割り当てられた値が格納される。移動機の欄には、識別子を割り当てた移動機のＭＡＣアドレスが格納される。接続先基地局の欄には、識別子を割り当てた移動機の接続先基地局の情報が格納される。【００９１】
例えば、移動機１３にＳＩＤ＝２を割り当てたとする。移動機１３のＲＦ１は、基地局３（基地局１２ｃ）に接続し、ＲＦ２は、基地局５（基地局１２ｅ）に接続しているとする。この場合、図９の最上欄に示すように、識別子種別の欄には、ＳＩＤが格納され、使用済み値の欄には、移動機１３に割り当てたＳＩＤの値‘２’が格納される。移動機の欄には、移動機１３のＭＡＣアドレスが格納される。接続先基地局の欄には、ＲＦ１＝基地局３（ＲＦ１は基地局３に接続していることを示す）、ＲＦ２＝基地局５を格納する。【００９２】
割り当て部２１は、識別子管理テーブル２１ａを管理し、識別子管理テーブル２１ａを参照することにより、例えば、どの移動機にどのような識別子種別の識別子の値を割り当てたのか、また、その移動機は、どの基地局に接続しているのか認識できる。【００９３】
図１０は、グループ管理テーブルのデータ構成例を示した図である。図１０に示すように、グループ管理部２４のグループ管理テーブル２４ａは、基地局、グループ、および通信制御装置の欄を有している。【００９４】
基地局の欄には、無線通信ネットワークを形成している基地局１２ａ〜１２ｆの情報が格納される。図１０に示す基地局１〜６は、それぞれ図５の基地局１２ａ〜１２ｆに対応する。グループの欄には、基地局の欄に格納された基地局の属しているグループの情報が格納される。通信制御装置の欄には、基地局の欄に格納された基地局を配下に持つ通信制御装置の情報が格納される。図１０に示す通信制御装置１，２は、それぞれ図５の通信制御装置１１ａ，１１ｂに対応する。グループ管理テーブル２４ａは、例えば、基地局の設置時等に生成される。【００９５】
例えば、図１０に示すグループ管理テーブル２４ａより、基地局１（基地局１２ａ）は、グループＧ１に属していることが分かる。また、基地局１は、通信制御装置１の配下にいることが分かる。【００９６】
図８の説明に戻る。割り当て部２１は、ネットワークエントリ処理部２２が受信した移動機１３の登録要求をグループ管理部２４へ送る。割り当て部２１は、登録要求をグループ管理部２４に送ることによって、グループ管理部２４から、ネットワークエントリする移動機１３の属する基地局１２ａ〜１２ｆのグループと、その基地局１２ａ〜１２ｆを制御する通信制御装置１１ａ，１１ｂとを受信する。【００９７】
割り当て部２１は、グループ管理部２４から受信した基地局１２ａ〜１２ｆのグループと、その基地局１２ａ〜１２ｆを制御する通信制御装置１１ａ，１１ｂとの情報を基に、他の通信制御装置１１ｂと未使用の共通の基地局内識別子を交渉するか否か判断する。例えば、移動機１３のＲＦ１，ＲＦ２が異なるグループＧ１，Ｇ２の基地局１２ａ〜１２ｆにネットワークエントリする場合、割り当て部２１は、他の通信制御装置１１ｂと未使用の共通の基地局内識別子を交渉すると判断する。【００９８】
図６のシーケンス例では、移動機１３は、ＲＦ１＝ＢＳ１，ＲＦ２＝ＢＳ２の情報を含む登録要求を通信制御装置１１ａに送信する。割り当て部２１は、グループ管理部２４にこの情報を送り、グループ管理部２４から、移動機１３の接続する基地局１２ａ，１２ｂの属するグループＧ１と、基地局１２ａ，１２ｂを制御する通信制御装置１１ａを受信する。グループＧ１において、基地局内識別子の割り当てを担う通信制御装置は、通信制御装置１１ａ自身であるので、通信制御装置１１ａは、他の通信制御装置１１ｂと交渉しない。【００９９】
割り当て部２１は、識別子管理テーブル２１ａを参照して、未使用の基地局内識別子を取得する。割り当て部２１は、他の通信制御装置１１ｂと交渉しない場合には、取得した未使用の基地局内識別子を移動機１３に割り当てる。一方、割り当て部２１は、他の通信制御装置１１ｂと交渉する場合には、取得した未使用の基地局内識別子が他の通信制御装置１１ｂにおいても未使用であるか交渉し、未使用でなければ、他の基地局内識別子を取得して再び交渉を行う。【０１００】
割り当て部２１は、移動機１３に割り当てた基地局内識別子の情報を識別子管理テーブル２１ａに格納する。例えば、割り当て部２１は、移動機１３に割り当てた基地局内識別子の識別子種別、使用済み値、移動機１３のＭＡＣアドレス、接続先基地局の情報を、識別子管理テーブル２１ａに格納する。割り当て部２１は、移動機１３に割り当てた基地局内識別子をネットワークエントリ処理部２２に送る。なお、通信制御装置１１ｂの割り当て部は、通信制御装置１１ａと未使用の基地局内識別子を交渉した場合、未使用の識別子および移動機１３の情報を識別子管理テーブルに格納する。【０１０１】
上記では、ネットワークエントリ（ＳＩＤの割り当て）における割り当て部２１の動作を説明したが、ＣＩＤ，ＳＬＰＩＤも同様に移動機１３に割り当てる。割り当てる契機が、移動機１３のネットワークエントリではなく、移動機１３が新たなコネクションを確立するときや、移動機１３がスリープモードに遷移するときなどである点が異なる。【０１０２】
また、割り当て部２１は、移動機内識別子の場合も基地局内識別子と同様の処理で移動機１３に割り当てる。移動機内識別子の割り当て処理を通信制御装置１１ａ，１１ｂで行うことで、基地局内識別子と移動機内識別子の割り当て処理を通信制御装置１１ａ，１１ｂに集約することができる。【０１０３】
割り当て部２１は、ハンドオーバ処理部２３からハンドオーバ要求を受信すると、識別子管理テーブル２１ａを参照し、ハンドオーバ前後で同じ接続先であり続ける基地局１２ａ〜１２ｆと、ハンドオーバ後に新たな接続先基地局となる基地局１２ａ〜１２ｆとの情報を取得する。割り当て部２１は、取得した基地局１２ａ〜１２ｆの情報をグループ管理部２４に送る。【０１０４】
例えば、図７のシーケンス例では、移動機１３が位置Ｃから位置Ｄへ移動する場合、ハンドオーバ前後で同じ接続先であり続ける基地局１２ａ〜１２ｆは、基地局１２ｃ（基地局３）であり、ハンドオーバ後に新たな基地局となる基地局１２ａ〜１２ｆは、基地局１２ｅ（基地局５）である。従って、図７のシーケンス例では、割り当て部２１は、基地局３，５の情報をグループ管理部２４に送る。【０１０５】
割り当て部２１は、グループ管理部２４から、ハンドオーバ後の接続先基地局ごとのグループＧ１，Ｇ２と、そのグループＧ１，Ｇ２における識別子の割り当てを担う通信制御装置１１ａ，１１ｂとの情報を受信する。割り当て部２１は、移動機１３の接続先基地局がグループＧ１，Ｇ２を跨る場合、グループ管理部２４から受信した情報を基に、他の通信制御装置１１ｂと未使用な基地局内識別子について交渉するか否か判断する。例えば、ハンドオーバ後の接続先基地局の１つが他のグループに属し、他の通信制御装置がそのグループにおいて識別子の割り当てを担う場合、未使用の識別子について交渉すると判断する。図７のシーケンス例の場合では、基地局３は、グループＧ１に属し、通信制御装置１１ａが識別子の割り当てを担う。基地局５は、グループＧ２に属し、通信制御装置１１ｂが割り当てを担う。よって、この場合、割り当て部２１は、交渉をすると判断する。【０１０６】
割り当て部２１は、他の通信制御装置１１ｂと交渉をする場合、すでに移動機１３に割り当てている基地局内識別子を他の通信制御装置１１ｂに送信する。できるだけ、基地局内識別子が変わらないようにするためである。この基地局内識別子が、通信制御装置１１ｂですでに使用済みである場合には、他の基地局内識別子で再び交渉を行う。【０１０７】
割り当て部２１は、移動機１３に割り当てた基地局内識別子の情報を識別子管理テーブル２１ａに格納する。例えば、割り当て部２１は、割り当てた基地局内識別子の識別子種別、使用済み値、移動機１３のＭＡＣアドレス、接続先基地局の情報を識別子管理テーブル２１ａに格納する。また、割り当て部２１は、移動機１３に割り当てた基地局内識別子をハンドオーバ処理部２３に送る。【０１０８】
割り当て部２１は、グループ管理部２４から取得した情報に基づき、移動機１３が複数のグループＧ１，Ｇ２を跨った状態から、１つまたは複数のグループＧ１，Ｇ２と接続関係を持たなくなる移動をすると判断した場合、移動機１３がハンドオーバ前のグループＧ１，Ｇ２と接続関係を持たなくなることを認識し、その旨を、例えば、メモリなどの記憶装置に記憶しておく。割り当て部２１は、ハンドオーバ処理部２３からハンドオーバ処理が終了した旨の通知を受けると、ハンドオーバ前のグループＧ１，Ｇ２に関して基地局内識別子の割り当てを担っていた通信制御装置１１ａ，１１ｂへ、基地局内識別子の解放を通知する。解放の通知を受けた通信制御装置１１ａ，１１ｂの割り当て部は、識別子管理テーブルから、通知を受けた基地局内識別子を解放する。【０１０９】
例えば、図７のシーケンス例において、移動機１３が位置Ｄから位置Ｅへ移動した場合、通信制御装置１１ｂの割り当て部は、移動機１３がハンドオーバ前のグループＧ１と接続関係を持たなくなることを認識し、その旨を記憶しておく。通信制御装置１１ｂの割り当て部は、ハンドオーバ処理が終了すると、通信制御装置１１ａに対し、ＳＩＤ＝２の解放を通知する。通信制御装置１１ａの割り当て部２１は、識別子管理テーブル２１ａのＳＩＤ＝２を解放する。【０１１０】
なお、移動機内識別子においては、ハンドオーバによって、接続先基地局が複数のグループＧ１，Ｇ２に跨るような場合でも、他の通信制御装置１１ａ，１１ｂと未使用の移動機内識別子について交渉をしなくてよいので、すでに移動機１３に割り当てている移動機内識別子を通知すればよい。例えば、図７のシーケンス例では、移動機１３は、位置Ｃから位置Ｄへハンドオーバし、グループＧ２の基地局１２ｅと新たな接続関係を持つ。この場合、基地局１２ｅを管理する通信制御装置１１ｂの割り当て部は、使用済みの移動機内識別子を移動機１３に割り当てないようにするため、通信制御装置１１ａの割り当て部２１が、すでに割り当て済みである移動機内識別子を通信制御装置１１ｂの割り当て部へ送信する。通信制御装置１１ｂの割り当て部は、通信制御装置１１ａの割り当て部２１から受信した移動機内識別子を識別子管理テーブルに登録し、使用済みとする。【０１１１】
ネットワークエントリ処理部２２は、基地局１２ａ〜１２ｃを介して、移動機１３からネットワークエントリの登録要求を受信する。ネットワークエントリ処理部２２は、受信した登録要求を割り当て部２１に送る。また、ネットワークエントリ処理部２２は、割り当て部２１が取得した移動機１３に割り当てた基地局内識別子および移動機内識別子を基地局１２ａ〜１２ｃに送信する。【０１１２】
ハンドオーバ処理部２３は、基地局１２ａ〜１２ｆを介して、移動機１３からハンドオーバ要求を受信する。ハンドオーバ処理部２３は、受信したハンドオーバ要求を割り当て部２１に送る。また、割り当て部２１が取得した移動機１３に割り当てた基地局内識別子を基地局１２ａ〜１２ｆに送信する。【０１１３】
グループ管理部２４は、割り当て部２１から送られてきた移動機１３の登録要求を基に、グループ管理テーブル２４ａを参照する。登録要求には、移動機１３の移動先基地局の情報が含まれており、グループ管理部２４は、接続先基地局ごとにその基地局１２ａ〜１２ｆの属するグループＧ１，Ｇ２と、そのグループＧ１，Ｇ２において基地局内識別子または移動機内識別子の割り当てを担う通信制御装置１１ａ，１１ｂを取得する。グループ管理部２４は、取得したグループＧ１，Ｇ２と通信制御装置１１ａ，１１ｂとの情報を割り当て部２１へ送る。【０１１４】
また、グループ管理部２４は、割り当て部２１から、ハンドオーバ前後で同じ接続先であり続ける基地局１２ａ〜１２ｆと、ハンドオーバ後に新たな接続先となる基地局１２ａ〜１２ｆとの情報を受信する。グループ管理部２４は、基地局１２ａ〜１２ｆの情報を受信すると、グループ管理テーブル２４ａを参照し、接続先基地局ごとにその基地局１２ａ〜１２ｆの属するグループＧ１，Ｇ２と、そのグループＧ１，Ｇ２において識別子の割り当てを担う通信制御装置１１ａ，１１ｂとを取得し、割り当て部２１に送る。【０１１５】
図１１は、移動機のブロック図である。図１１に示すように、移動機１３は、無線部３１，３２およびデータ処理部３３を有している。図１１に示す無線部３１，３２は、それぞれ図５に示した移動機１３のＲＦ１，ＲＦ２に対応する。【０１１６】
無線部３１，３２は、データ処理部３３から出力されるデータを周波数帯Ｆａ，Ｆｂの無線信号に変換し、基地局１２ａ〜１２ｆに無線送信する。また、無線部３１，３２は、基地局１２ａ〜１２ｆから受信した周波数帯Ｆａ，Ｆｂの無線信号を、データ処理部３３が処理できるデータに変換して出力する。データ処理部３３は、例えば、他の移動機と通信するデータを処理する。【０１１７】
このように、大きなセルが小さなセルを収容するように基地局１２ａ〜１２ｆをグループＧ１，Ｇ２に分ける。そして、通信制御装置１１ａ，１１ｂは、グループＧ１，Ｇ２内で基地局内識別子をユニークに割り当てるようにする。これにより、通信制御装置１１ａ，１１ｂは、移動機１３がグループＧ１，Ｇ２内で基地局１２ａ〜１２ｆ間を移動するたびに基地局内識別子を割り当てなくて済む。【０１１８】
また、基地局内識別子の再割り当てを低減できるので、無線通信への影響を抑制することができる。
また、基地局内識別子の再割り当てを低減できるので、割り当ての際に用いられるメッセージの帯域を低減することができる。【０１１９】
また、前記次世代規格において、基地局内識別子のビット長は、少なくとも１つの大きなセル内でユニークに移動機へ割り当てできる十分な長さで標準化されるので、大きなセルが小さなセルを収容するようなグループ内でユニークに割り当てても基地局内識別子が足りなくなることはなく、好適なグループ化の大きさである。【０１２０】
さらに、通信制御装置１１ａ，１１ｂが移動機内識別子を割り当てるので、識別子の割り当て処理を通信制御装置１１ａ，１１ｂに集約することができる。
なお、図５では、グループＧ１，Ｇ２ごとに１つの通信制御装置１１ａ，１１ｂが配置されるようになっているが、例えば、１つの通信制御装置１１ａが複数のグループＧ１，Ｇ２に関する基地局内識別子と移動機内識別子を含む識別子の割り当て処理を行ってもよい。【０１２１】
また、図５では、通信制御装置１１ａ、１１ｂが管理する基地局１２ａ〜１２ｆの境界（図５中の基地局１２ｃと基地局１２ｄの間）と、グループＧ１，Ｇ２の境界が一致しているが、グループＧ１，Ｇ２の境界が、通信制御装置１１ａ，１１ｂの基地局１２ａ〜１２ｆを管理する境界を跨ってもよい。例えば、グループＧ１，Ｇ２の境界が基地局１２ｄ，１２ｅの境界を跨ってもよい。この場合、あるグループに属する基地局の管理に関係する通信制御装置が、複数存在することになるが、その中から１つの通信制御装置を識別子の割り当てを担うマスタの通信制御装置として選択する。他の通信制御装置は、そのマスタ通信制御装置と基地局間のメッセージを中継するリレー通信制御装置として動作すれば、上記と同様の処理で識別子の割り当て処理を行うことができる。【０１２２】
また、上記では、移動機１３は、２つのＲＦ１，ＲＦ２を有している。従って、移動機１３の同時に接続可能な最大セル数は２つであり、同時に接続可能なグループ数は２つとなる。しかし、移動機１３は、３つ以上のＲＦを有していてもよい。この場合、移動機１３の同時に接続可能な最大セル数およびグループ数は３以上となるが、３以上のグループで識別子の割り当て交渉、および、通知を行えば、上記と同様に識別子を移動機１３に割り当てることができる。【０１２３】
また、上記では、通信制御装置が基地局内識別子と移動機内識別子を割り当てたが、通信制御装置の機能を複数の基地局へ分散させて互いにメッセージを送受信することで、基地局内識別子と移動機内識別子を移動機へ割り当ててもよい。【０１２４】
次に、第２の実施の形態を、図面を参照して詳細に説明する。第２の実施の形態では、グループ化した基地局をより大きなグループに纏める。そして、大きなグループ内で識別子をユニークになるように付与する。【０１２５】
図１２は、第２の実施の形態に係るセルの形成および基地局のグループ化を説明する図である。なお、図１２において図５と同じものには同じ符号を付し、その説明を省略する。【０１２６】
図１２に示すグループＧ１１，Ｇ１２は、図５に示すグループＧ１，Ｇ２に対応する。すなわち、図１２においても図５と同様に、基地局１２ａ〜１２ｆは、セル半径の大きいセルがセル半径の小さいセルを収容するようにグループ化される。そして、図１２では、さらにグループＧ１１，Ｇ１２を収容するグループＧ２１を形成する。グループＧ１１，Ｇ１２をグループクラスＣ１と呼び、グループＧ１１，Ｇ１２を収容した大きなグループＧ２１をグループクラスＣ２と呼ぶ。【０１２７】
図１２では、例えば、ＳＩＤをグループＧ１１，Ｇ１２より大きいグループＧ２１で管理し、ＣＩＤ，ＳＬＰＩＤは、第１の実施の形態と同様にグループＧ１１，Ｇ１２で管理する。これは、ＳＩＤは、比較的長いビット長を有しており、値に余裕があるからである。すなわち、ＳＩＤは、移動機に対し、多くの異なる識別子を付与することが可能だからである。もちろん、他の基地局内識別子をグループＧ２１で管理してもよい。【０１２８】
以下では、ＳＩＤをグループＧ２１で管理（グループクラスＣ２で管理）し、その他の基地局内識別子および移動機内識別子をグループＧ１１，Ｇ１２で管理（グループクラスＣ１で管理）する場合について説明する。グループクラスＣ１で管理する場合は、第１の実施の形態と同様であり、その説明を省略する。【０１２９】
まず、ＳＩＤの割り当てを担う通信制御装置を、グループクラスＣ２のグループＧ２１内から選定する。ここでは、例えば、通信制御装置１１ａがＳＩＤの割り当てを担う通信制御装置とする。【０１３０】
移動機１３は、例えば、位置Ａにおいて電源をオンし、無線通信システムにネットワークエントリしたとする。通信制御装置１１ａは、グループクラスＣ２のＳＩＤの割り当てを担う通信制御装置なので、グループＧ２１内でユニークなＳＩＤを移動機１３に割り当てる。例えば、通信制御装置１１ａは、ＳＩＤ＝１を移動機１３に割り当てる。【０１３１】
なお、例えば、移動機１３が位置Ｅに存在し、通信制御装置１１ｂが移動機１３からネットワークエントリの要求を受けた場合、通信制御装置１１ｂは、グループクラスＣ２のＳＩＤの割り当てを担う通信制御装置１１ａを検知して通信制御装置１１ａと通信する。通信制御装置１１ａは、通信制御装置１１ｂからの要求に応じて移動機１３にＳＩＤを割り当て、通信制御装置１１ｂを介してＳＩＤを移動機１３に送信する。【０１３２】
ＳＩＤ＝１は、グループＧ２１でユニークである。従って、移動機１３がグループＧ１１，Ｇ１２間を跨いで移動しても、通信制御装置１１ａは、移動機１３にＳＩＤを再割り当てする処理を行わない。移動機１３がグループクラスＣ２のグループ間で移動する場合に、ＳＩＤの割り当て処理を行う。グループクラスＣ２のグループ間で行われるＳＩＤの割り当て処理は、第１の実施の形態のハンドオーバの処理と同様である。すなわち、通信制御装置１１ａは、他のグループクラスＣ２のＳＩＤを管理する通信制御装置と、共通の未使用のＳＩＤを交渉し、ＳＩＤの割り当てを行う。【０１３３】
図１３は、移動機のネットワークエントリを示したシーケンス図である。図１３には、図１２で示した移動機１３、基地局１２ａ，１２ｂ、および通信制御装置１１ａのシーケンスが示してある。移動機１３は、図１３の位置Ａにおいて、ネットワークエントリを行うとする。【０１３４】
図１３に示すシーケンス処理のステップＳ４１〜Ｓ５３は、図６で説明したシーケンス処理のステップＳ１〜Ｓ１３と同様である。ただし、ステップＳ４９，Ｓ５０の処理が異なる。以下では、ステップＳ４９，Ｓ５０の処理について説明する。【０１３５】
ステップＳ４９において、通信制御装置１１ａは、グループクラスＣ２のグループＧ２１内でユニークな未使用のＳＩＤを取得する。例えば、通信制御装置１１ａは、グループＧ２１内でユニークな未使用のＳＩＤ＝１を取得したとする。通信制御装置１１ａは、移動機１３の接続先の１つである基地局１２ａに、ＳＩＤ＝１を送信する。通信制御装置１１ａは、例えば、MS＿Attachment＿Rspメッセージを利用して、取得したＳＩＤを基地局１２ａに送信する。【０１３６】
ステップＳ５０において、通信制御装置１１ａは、ステップＳ４９で取得したＳＩＤ＝１を、移動機１３の接続先の１つである基地局１２ｂに送信する。通信制御装置１１ａは、例えば、MS＿Attachment＿Rspメッセージを利用して、取得したＳＩＤ＝１を基地局１２ｂに送信する。【０１３７】
なお、グループクラスＣ２のＳＩＤの割り当てを担う通信制御装置が通信制御装置１１ｂの場合は、通信制御装置１１ａは、移動機１３からネットワークエントリの登録要求を受けると、通信制御装置１１ｂを検知し、通信制御装置１１ｂから移動機１３に割り当てるＳＩＤを受信する。そして、通信制御装置１１ａは、通信制御装置１１ｂから受信したＳＩＤを移動機１３に送信する。【０１３８】
図１４は、無線通信システムのハンドオーバを示したシーケンス図である。図１４には、図１２で示した移動機１３、基地局１２ｃ〜１２ｅ、および通信制御装置１１ａ，１１ｂのシーケンスが示してある。【０１３９】
図１４に示すシーケンス処理のステップＳ６１〜Ｓ６５ｃは、移動機１３が図１２の位置Ｃから位置Ｄへ移動したときのハンドオーバシーケンスが示してある。ステップＳ６１〜Ｓ６５ｃは、図７で説明したシーケンス処理のステップＳ２１〜Ｓ２６ｃと同様であるが、ステップＳ６２，Ｓ６３の処理が異なる。【０１４０】
図７では、通信制御装置１１ａは、ステップＳ２３においてＨＯ要求を受けると、ＲＦ２のＨＯ後の接続先基地局となる基地局１２ｅの属するグループＧ２の、ＳＩＤの割り当て処理を行う通信制御装置１１ｂと、未使用のＳＩＤの交渉を行う。図１４では、移動機１３は、グループＧ２１内でユニークな未使用のＳＩＤが割り当てられているため、通信制御装置１１ｂとの未使用のＳＩＤの交渉を行わない。図１４では、通信制御装置１１ａは、ステップＳ６２において、基地局１２ｃからＨＯ要求を受けると、ステップＳ６３において、移動機１３に割り当てているＳＩＤ＝１をＨＯ応答に含めて送信する。【０１４１】
図１４に示すシーケンス処理のステップＳ６６〜Ｓ７２ｃは、移動機１３が図１２の位置Ｄから位置Ｅへ移動したときのハンドオーバシーケンスが示してある。ステップＳ６６〜Ｓ７２ｃは、図７で説明したシーケンス処理のステップＳ２７〜Ｓ３１ｃと同様であるが、ステップＳ６８〜Ｓ７０の処理が異なる。【０１４２】
ステップＳ６８において、通信制御装置１１ｂは、移動機１３の接続先基地局である基地局１２ｅからＨＯ要求を受ける。通信制御装置１１ｂは、移動機１３の位置Ｄから位置ＥへのグループＧ２１内の移動を検知し、グループクラスＣ２のＳＩＤを管理する通信制御装置１１ａにＨＯ要求を行う。【０１４３】
ステップＳ６９において、通信制御装置１１ａは、通信制御装置１１ｂからのＨＯ要求を受けて、すでに移動機１３に割り当てているＳＩＤ＝１をＨＯ応答にて通信制御装置１１ｂに送信する。【０１４４】
ステップＳ７０において、通信制御装置１１ｂは、ＨＯ応答にてＳＩＤ＝１を基地局１２ｅに送信する。
このように、通信制御装置１１ａ，１１ｂは、移動機１３のグループＧ２１内の移動によってＳＩＤの再割り当て処理を行わなくてよい。【０１４５】
図１５は、通信制御装置のブロック図である。図１５に示すように、通信制御装置１１ａは、割り当て部４１、ネットワークエントリ処理部４２、ハンドオーバ処理部４３、およびグループ管理部４４を有している。割り当て部４１は、識別子管理テーブルを有している。グループ管理部４４は、グループクラス管理テーブルおよびグループ管理テーブルを有している。割り当て部４１の有する識別子管理テーブルは、図９で示した識別子管理テーブル２１ａと同様であり、その説明を省略する。まず、グループ管理部４４の有するグループクラス管理テーブルおよび識別子管理テーブルについて説明する。【０１４６】
図１６は、グループクラス管理テーブルのデータ構成例を示した図である。図１６に示すように、グループ管理部４４のグループクラス管理テーブル４４ａは、識別子種別およびグループクラスの欄を有している。【０１４７】
識別子種別の欄には、移動機１３に割り当てられる基地局内識別子および移動機内識別子の種別が格納される。例えば、ＳＩＤ，ＣＩＤ，ＳＬＰＩＤ，ＰＳＣＩＤなどが格納される。グループクラスの欄には、識別子種別の欄の識別子がユニークに割り当てられるグループクラスが格納される。【０１４８】
例えば、図１６に示すグループクラス管理テーブル４４ａより、ＳＩＤは、グループクラスＣ２でユニークに割り当てられることが分かる。ＣＩＤは、グループクラスＣ１でユニークに割り当てられることが分かる。【０１４９】
図１７は、グループ管理テーブルのデータ構成例を示した図である。図１７に示すように、グループ管理部４４のグループ管理テーブル４４ｂは、基地局、グループクラスＣ１、グループクラスＣ２、クラスＣ１通信制御装置、およびクラスＣ２通信制御装置の欄を有している。【０１５０】
基地局の欄には、無線通信ネットワークを形成している基地局１２ａ〜１２ｆの情報が格納される。図１７に示す基地局１〜６は、それぞれ図１２の基地局１２ａ〜１２ｆに対応する。【０１５１】
グループクラスＣ１の欄には、グループクラスＣ１における、基地局の欄に格納された基地局のグループの情報が格納される。例えば、図１２の例において、基地局１は、グループクラスＣ１では、グループＧ１１に属している。従って、基地局１のグループクラスＣ１の欄には、グループＧ１１が格納されている。また、基地局５は、グループクラスＣ１では、グループＧ１２に属ししている。従って、基地局５のグループクラスＣ１の欄には、グループＧ１２が格納されている。【０１５２】
グループクラスＣ２の欄には、グループクラスＣ２における、基地局の欄に格納された基地局のグループの情報が格納される。例えば、図１２の例において、基地局１は、グループクラスＣ２では、グループＧ２１に属している。従って、基地局１のグループクラスＣ２の欄には、グループＧ２１が格納されている。また、基地局５は、グループクラスＣ２では、グループＧ２１に属ししている。従って、基地局５のグループクラスＣ２の欄には、グループＧ２１が格納されている。【０１５３】
クラスＣ１通信制御装置の欄には、グループクラスＣ１における識別子の割り当てを担う通信制御装置の情報が格納される。通信制御装置１は、図１２の通信制御装置１１ａに対応し、通信制御装置２は、図１２の通信制御装置１１ｂに対応する。クラスＣ２通信制御装置の欄には、グループクラスＣ２における識別子の割り当てを担う通信制御装置の情報が格納される。【０１５４】
例えば、図１７に示すグループ管理テーブル４４ｂより、基地局１は、グループクラスＣ１では、グループＧ１１に属していることが分かる。基地局１は、グループクラスＣ２では、グループＧ２１に属していることが分かる。基地局１のグループクラスＣ１における識別子の割り当ては、通信制御装置１が担っていることが分かる。基地局１のグループクラスＣ２における識別子の割り当ては、通信制御装置１が担っていることが分かる。【０１５５】
また、基地局５は、グループクラスＣ１では、グループＧ１２に属していることが分かる。基地局５は、グループクラスＣ２では、グループＧ２１に属していることが分かる。基地局５のグループクラスＣ１における識別子の割り当ては、通信制御装置２が担っていることが分かる。基地局５のグループクラスＣ２における識別子の割り当ては、通信制御装置１が担っていることが分かる。【０１５６】
図１５の説明に戻る。割り当て部４１は、ネットワークエントリ処理部４２が受信した移動機１３の登録要求をグループ管理部４４へ送る。このとき、割り当て部４１は、移動機１３が登録要求した識別子種別もグループ管理部４４へ送る。割り当て部４１は、登録要求と識別子種別をグループ管理部４４に送ることによって、グループ管理部４４から、登録要求のあった識別子種別の識別子がどのグループクラスＣ１，Ｃ２で管理されているか、また、どの通信制御装置１１ａ，１１ｂがその識別子の割り当てを担っているのかの情報を受信する。例えば、割り当て部４１は、移動機１３のネットワークエントリの登録要求と識別子種別ＳＩＤをグループ管理部４４へ送った場合、グループ管理部４４から、ＳＩＤはグループクラスＣ２で管理され、通信制御装置１１ａがその割り当てを担っていることを受信する。【０１５７】
割り当て部４１は、グループ管理部４４から受信した情報に基づき、他の通信制御装置１１ｂと共通の未使用の識別子を交渉するか否か判断する。例えば、図１３のシーケンス例では、移動機１３の接続先基地局は基地局１２ａ，１２ｂであり、グループクラスＣ２のＳＩＤの割り当ては、通信制御装置１１ａ自身が割り当てを担う。従って、グループクラスＣ２の他のグループの、ＳＩＤの割り当てを担う通信制御装置と交渉はしない。一方、移動機１３がグループクラスＣ２の異なるグループの基地局に接続する場合、割り当て部４１は、グループクラスＣ２の他のグループの、ＳＩＤの割り当てを担う通信制御装置とＳＩＤの交渉を行う。グループクラスＣ２の他のグループの、ＳＩＤの割り当てを担う通信制御装置の情報は、グループ管理部４４から受信する。また、通信制御装置１１ｂの割り当て部が、移動機１３からＳＩＤの登録要求を受信した場合は、通信制御装置１１ｂの割り当て部は、グループ管理部から、ＳＩＤの割り当てを担う通信制御装置１１ａの情報を受信し、通信制御装置１１ａから未使用のＳＩＤを受信する。【０１５８】
割り当て部４１は、識別子管理テーブルを参照して、未使用のＳＩＤを取得する。割り当て部４１は、他の通信制御装置と交渉しない場合には、取得した未使用のＳＩＤを移動機１３に割り当てる。一方、割り当て部４１は、他の通信制御装置と交渉する場合には、取得した未使用のＳＩＤが他の通信制御装置においても未使用であるか交渉し、未使用でなければ、他のＳＩＤを取得して再び交渉を行う。【０１５９】
割り当て部４１は、移動機１３に割り当てた基地局内識別子の情報を識別子管理テーブルに格納する。割り当て部４１は、移動機１３に割り当てたＳＩＤをネットワークエントリ処理部４２に送る。【０１６０】
割り当て部４１は、ハンドオーバ処理部４３からハンドオーバ要求を受信すると、識別子管理テーブルを参照し、ハンドオーバ前後で同じ接続先であり続ける基地局１２ａ〜１２ｆと、ハンドオーバ後に新たな接続先基地局となる基地局１２ａ〜１２ｆとの情報を取得する。割り当て部４１は、取得した基地局１２ａ〜１２ｆの情報をグループ管理部４４に送る。【０１６１】
例えば、図１４のシーケンス例では、移動機１３が位置Ｃから位置Ｄへ移動する場合、ハンドオーバ前後で同じ接続先であり続ける基地局１２ａ〜１２ｆは、基地局１２ｃ（基地局３）であり、ハンドオーバ後に新たな基地局となる基地局１２ａ〜１２ｆは、基地局１２ｅ（基地局５）である。従って、図１４のシーケンス例では、割り当て部４１は、基地局３，５の情報をグループ管理部４４に送る。【０１６２】
割り当て部４１は、グループ管理部４４から、グループクラスＣ２におけるハンドオーバ後の接続先基地局ごとのグループと、そのグループにおけるＳＩＤの割り当てを担う通信制御装置との情報を受信する。割り当て部４１は、移動機１３の接続先基地局がグループクラスＣ２のグループを跨る場合、グループ管理部４４から受信した情報を基に、他の通信制御装置と未使用なＳＩＤについて交渉するか否か判断する。例えば、ハンドオーバ後の接続先基地局の１つがグループクラスＣ２の他のグループに属し、他の通信制御装置がそのグループにおいてＳＩＤの割り当てを担う場合、未使用のＳＩＤについて交渉すると判断する。【０１６３】
なお、図１４のシーケンス例の位置Ｃから位置Ｄへの移動の場合では、移動機１３は、ハンドオーバ前後でグループクラスＣ２のグループを跨がない。従って、割り当て部４１は、他の通信制御装置とＳＩＤの交渉をしない。【０１６４】
割り当て部４１は、グループクラスＣ２の他の通信制御装置と交渉をする場合、すでに移動機１３に割り当てているＳＩＤを他の通信制御装置に送信する。できるだけ、ＳＩＤが変わらないようにするためである。このＳＩＤが、他の通信制御装置ですでに使用済みである場合には、他のＳＩＤで再び交渉を行う。【０１６５】
割り当て部４１は、移動機１３に割り当てたＳＩＤの情報を識別子管理テーブルに格納する。割り当て部４１は、移動機１３に割り当てたＳＩＤをハンドオーバ処理部４３に送る。【０１６６】
割り当て部４１は、グループ管理部４４から取得した情報に基づき、移動機１３がグループクラスＣ２における複数のグループを跨った状態から、グループクラスＣ２における１つまたは複数のグループと接続関係を持たなくなる移動をすると判断した場合、移動機１３がハンドオーバ前のグループクラスＣ２の１つまたは複数のグループと接続関係を持たなくなることを認識し、その旨を、例えば、メモリなどの記憶装置に記憶しておく。割り当て部４１は、ハンドオーバ処理部４３からハンドオーバ処理が終了した旨の通知を受けると、ハンドオーバ前のグループに関してＳＩＤの割り当てを担っていた通信制御装置へ、ＳＩＤの解放を通知する。解放の通知を受けた通信制御装置１１ａ，１１ｂの割り当て部は、識別子管理テーブルから、通知を受けたＳＩＤを解放する。【０１６７】
なお、図１４のシーケンス例の位置Ｄから位置Ｅへの移動の場合では、移動機１３は、ハンドオーバ前後でグループクラスＣ２のグループを跨がない。従って、割り当て部４１は、他の通信制御装置へＳＩＤの解放を通知しない。ただし、移動機１３の位置Ｄから位置Ｅへの移動で行われるハンドオーバ要求は、基地局１２ｅおよび通信制御装置１１ｂを経由して通信制御装置１１ａに対して行われる。通信制御装置１１ｂの割り当て部およびグループ管理部は、移動機１３から、基地局１２ｅを介してハンドオーバ要求を受けると、グループクラスＣ２のＳＩＤの割り当てを担う通信制御装置は通信制御装置１１ａであることを検知する。そして、通信制御装置１１ｂの割り当て部は、通信制御装置１１ａにハンドオーバ要求を通知する。通信制御装置１１ａは、移動機１３に割り当てていたＳＩＤ＝１を通信制御装置１１ｂおよび基地局１２ｅを経由して移動機１３に送信する。【０１６８】
ネットワークエントリ処理部４２は、基地局１２ａ〜１２ｃを介して、移動機１３からネットワークエントリの登録要求を受信する。ネットワークエントリ処理部４２は、受信した登録要求を割り当て部４１に送る。また、ネットワークエントリ処理部４２は、割り当て部４１が取得した移動機１３に割り当てた基地局内識別子および移動機内識別子を基地局１２ａ〜１２ｃに送信する。【０１６９】
ハンドオーバ処理部４３は、基地局１２ａ〜１２ｆを介して、移動機１３からハンドオーバ要求を受信する。ハンドオーバ処理部４３は、受信したハンドオーバ要求を割り当て部４１に送る。また、割り当て部４１が取得した移動機１３に割り当てた基地局内識別子を基地局１２ａ〜１２ｆに送信する。【０１７０】
グループ管理部４４は、割り当て部４１から送られてきた移動機１３の登録要求を基に、グループクラス管理テーブル４４ａおよびグループ管理テーブル４４ｂを参照する。登録要求には、移動機１３の移動先基地局の情報および識別子種別が含まれており、グループ管理部４４は、登録要求のあった識別子種別の識別子がどのグループクラスＣ１，Ｃ２で管理されているか、また、どの通信制御装置１１ａ，１１ｂがその識別子の割り当てを担っているのかの情報を取得する。【０１７１】
また、グループ管理部４４は、割り当て部４１から、ハンドオーバ前後で同じ接続先であり続ける基地局１２ａ〜１２ｆと、ハンドオーバ後に新たな接続先となる基地局１２ａ〜１２ｆとの情報を受信する。グループ管理部４４は、基地局１２ａ〜１２ｆの情報を受信すると、グループクラス管理テーブル４４ａおよびグループ管理テーブル４４ｂを参照し、グループクラスＣ２におけるハンドオーバ後の接続先基地局ごとのグループと、そのグループにおけるＳＩＤの割り当てを担う通信制御装置との情報を取得する。【０１７２】
なお、割り当て部４１、ネットワークエントリ処理部４２、ハンドオーバ処理部４３、およびグループ管理部４４のグループクラスＣ１における割り当てについては、図８と同様にして行い、その説明を省略する。また、移動機１３のブロック図も図１１と同様であり、その説明を省略する。【０１７３】
このように、グループ化した基地局をより大きなグループに収容する。そして、大きなグループ内で識別子をユニークになるように付与する。これにより、大きなグループ内におけるハンドオーバの際の、基地局内識別子の再割り当てを行わなくて済む。また、基地局内識別子の送受信に用いられるメッセージの帯域を低減することができる。【０１７４】
なお、グループクラスＣ２のグループＧ２１は、グループクラスＣ１のグループＧ１１，Ｇ１２を包含しているが、例えば、グループＧ２１は、グループＧ１２を横断するようにグループを形成してもよい。各グループクラスＣ１，Ｃ２におけるグループの形成は、グループクラスＣ１，Ｃ２間で独立である。【０１７５】
次に、第３の実施の形態を、図面を参照して詳細に説明する。第３の実施の形態では、グループの境界において、あるグループの大きなセルに収容される小さなセルが他のグループのセルに跨らないようにセルを形成するようにする。そして、移動機が異なるグループを跨って接続する場合、通信制御装置は、移動機を跨る前のグループの基地局に接続しないように移動機を制御する。【０１７６】
図１８は、第３の実施の形態に係るセルの形成および基地局のグループ化を説明する図である。なお、図１８において図５と同じものには同じ符号を付し、その説明を省略する。【０１７７】
図１８では、図５に対し、セルＦａ３は、自分より大きい他のグループＧ２のセルＦｂ２に跨らないように、セルＦｂ１に収容されている。セルＦａ３の大きさの調整は、例えば、基地局１２ｃの電力調整により行うことができる。【０１７８】
図１８に示すように、小さいセルＦａ３が大きいセルＦｂ２に跨らないようにセルを形成した場合、移動機１３は、基本的にはグループＧ１に属する基地局１２ａ〜１２ｃと、グループＧ２に属する基地局１２ｄ〜１２ｆと同時に接続することはない。例えば、位置Ｃから位置Ｄへの移動によって発生するハンドオーバにおいて、移動機１３のＲＦ２の接続先基地局がグループＧ２の基地局１２ｅとなる場合、ＲＦ１の接続先基地局もグループＧ２の基地局１２ｄとなる。【０１７９】
このように、小さいセルＦａ３を、別のグループＧ２の大きいセルＦｂ２に跨らないように形成した場合、移動機１３のＲＦ１，ＲＦ２は、基本的に同一のグループＧ２の基地局１２ｄ，１２ｅに同時にハンドオーバすることが可能となる。このため、通信制御装置１１ａと通信制御装置１１ｂは、未使用の基地局内識別子について交渉しなくて済み、通信制御装置１１ａと通信制御装置１１ｂの交渉によるメッセージの帯域を低減することができる。【０１８０】
ただし、移動機１３の位置によっては、ＲＦ２のグループＧ２の基地局１２ｅへの接続は可能であるが、ＲＦ１のグループＧ２の基地局１２ｄへの接続は不可能な場合も発生する。すなわち、ＲＦ１は、グループＧ１の基地局１２ｃに接続している状態も発生する。【０１８１】
この場合、移動機１３は、ＲＦ１，ＲＦ２が異なるグループＧ１，Ｇ２に跨って基地局に接続しないようにＲＦ１の接続を中止する。そして、移動機１３のＲＦ１は、例えば、移動機１３が位置Ｅに移動して、基地局１２ｄと接続可能になったとき、基地局１２ｄへの接続を行う。すなわち、通信制御装置１１ｂは、移動機１３がグループＧ１，Ｇ２を跨って移動する場合、グループＧ２内の推奨基地局を移動機１３に通知して、移動機１３がグループＧ１，Ｇ２を跨って基地局に接続しないように制御する。【０１８２】
図１９は、無線通信システムのハンドオーバを示したシーケンス図である。図１９には、図１８に示した移動機１３、基地局１２ｃ〜１２ｅ、および通信制御装置１１ａ，１１ｂのシーケンスが示してある。図１９に示すシーケンス処理は、移動機１３が図１８の位置Ｃから位置Ｄへ移動したときのハンドオーバシーケンスが示してある。【０１８３】
ステップＳ８１，Ｓ８２は、図７で示したシーケンスのステップＳ２１，Ｓ２２と同様の処理であり、その説明を省略する。
ステップＳ８３において、通信制御装置１１ａは、ＲＦ２のＨＯ後の接続先基地局となる基地局１２ｅの属するグループＧ２の、ＳＩＤの割り当て処理を行う通信制御装置１１ｂに、ＨＯ要求を行う。通信制御装置１１ａは、例えば、HO-ReqメッセージにTargetBS＿RF2=BS5を含めて、通信制御装置１１ｂにＨＯ要求を行う。【０１８４】
ステップＳ８４において、通信制御装置１１ｂは、通信制御装置１１ａからのＨＯ要求を受けて、移動機１３に未使用のＳＩＤ＝２を割り当てる。また、通信制御装置１１ｂは、通信制御装置１１ａから受信したTargetBS＿RF2=BS5に基づいて、移動機１３のＲＦ１の接続先基地局もグループＧ２の基地局であるべきと判断し、その基地局を基地局１２ｄと取得する。通信制御装置１１ｂは、取得したＳＩＤ＝２と、ＲＦ１が接続すべき基地局１２ｄの情報（推奨TargetBS＿RF1=BS4）とを、例えば、HO-Rspメッセージに含めて、通信制御装置１１ａに送信する。【０１８５】
ステップＳ８５において、通信制御装置１１ａは、通信制御装置１１ｂから受信したＳＩＤ＝２と、推奨TargetBS＿RF1=BS4とを、例えば、HO-Rspメッセージに含めて、基地局１２ｃに送信する。【０１８６】
ステップＳ８６において、基地局１２ｃは、通信制御装置１１ａから受信したＳＩＤ＝２と、推奨TargetBS＿RF1=BS4とを、例えば、MOB＿BSHO-RSPメッセージに含めて、移動機１３に送信する。【０１８７】
ステップＳ８７において、移動機１３のＲＦ１は、基地局１２ｃから受信した推奨TargetBS＿RF1=BS4への接続を試みる。ここでは、移動機１３のＲＦ１は、ＢＳ４（グループＧ２の基地局１２ｄ）に接続することができなかったとする。この場合、移動機１３のＲＦ１は、グループＧ１，Ｇ２を跨って接続しないように、ＲＦ１の接続を中止する。【０１８８】
移動機１３のＲＦ１は、ＲＦ２の接続先基地局を基地局１２ｅへ変更するため、基地局１２ｃに対し、ＨＯ通知を行う。移動機１３は、例えば、MOB＿MSHO-INDメッセージに、ＲＦ１の接続は無であることを示すTargetBS＿RF1=BSnoneと、TargetBS＿RF2=BS5を含めて基地局１２ｃに送信する。【０１８９】
なお、移動機１３のＲＦ１がＢＳ４に接続することができた場合、ＲＦ１，ＲＦ２の接続先基地局はともにグループＧ２に属することになる。この場合、移動機１３は、グループＧ１，Ｇ２を跨ることがないので、通信制御装置１１ａ，１１ｂは、ＳＩＤの割り当てについて交渉しなくてよい。【０１９０】
ステップＳ８８ａ〜Ｓ８８ｃは、図７で示したシーケンスのステップＳ２６ａ〜Ｓ２６ｃと同様の処理であり、その説明を省略する。
図２０は、通信制御装置のブロック図である。図２０に示すように通信制御装置１１ａは、割り当て部５１、ネットワークエントリ処理部５２、ハンドオーバ処理部５３、およびグループ管理部５４を有している。図２０の通信制御装置１１ａのブロック図は、図８のブロック図と同様であるが、割り当て部５１が異なる。【０１９１】
割り当て部５１は、グループＧ１，Ｇ２間を跨ったハンドオーバが発生した場合、他の通信制御装置１１ｂと未使用のＳＩＤの交渉はせずに、ハンドオーバ要求を行うところが異なる。通信制御装置１１ｂの割り当て部は、割り当て部５１からのハンドオーバ要求に応じて、移動機１３のＲＦ１，ＲＦ２の接続する、同じグループＧ２内の推奨基地局を検出して、通信制御装置１１ａに通知する。【０１９２】
例えば、通信制御装置１１ｂの割り当て部は、配下にある基地局１２ｄ〜１２ｆのセルＦａ４，Ｆａ５，Ｆｂ２の状況を把握している。通信制御装置１１ｂの割り当て部は、移動機１３のＲＦ２が基地局１２ｅに接続要求した場合、基地局１２ｅのセルＦｂ２に包含され、グループＧ１と隣接しているセルＦａ４の基地局１２ｄを検出し、通信制御装置１１ａに通知する。通信制御装置１１ａは、通信制御装置１１ｂから受信した基地局１２ｄの情報を移動機１３に送信する。【０１９３】
なお、移動機が異なるグループを跨って接続する場合、通信制御装置は、移動機を跨る前のグループの基地局に接続しないように移動機を制御したが、移動機を跨る前のグループ内の推奨基地局を移動機へ通知して、移動機がグループを跨って基地局に接続しないように制御してもよい。【０１９４】
なお、移動機１３は、ＲＦ１，ＲＦ２が異なるグループＧ１，Ｇ２に跨って基地局に接続しないようにＲＦ１の接続を中止したが、ＲＦ１を接続し続け、ＲＦ２の接続を中止しても良い。そして、移動機１３は、例えば、移動機１３が位置Ｅに移動して、基地局１２ｄおよび１２ｅと接続可能になったとき、ＲＦ１を基地局１２ｄに接続し、ＲＦ２を基地局１２ｅに接続する。【０１９５】
このように、グループの境界において、あるグループの大きなセルに収容される小さなセルが他のグループのセルに跨らないようにセルを形成するようにする。通信制御装置１１ａ，１１ｂは、移動機１３がグループＧ１，Ｇ２を跨いで移動する場合、移動機１３の接続すべき推奨基地局を移動機１３に通知する。移動機１３は、推奨基地局にＲＦ１，ＲＦ２を接続できない場合はＲＦ１またはＲＦ２の無線通信を中止する。これにより、通信制御装置１１ａと通信制御装置１１ｂは、未使用の基地局内識別子について交渉しなくて済み、通信制御装置１１ａと通信制御装置１１ｂの交渉によるメッセージの帯域を低減することができる。【０１９６】
上記については単に本発明の原理を示すものである。さらに、多数の変形、変更が当業者にとって可能であり、本発明は上記に示し、説明した正確な構成および応用例に限定されるものではなく、対応するすべての変形例および均等物は、添付の請求項およびその均等物による本発明の範囲とみなされる。
【符号の説明】
【０１９７】
１，２  通信制御装置
１ａ  割り当て部
１ｂ  送信部
３ａ〜３ｆ  基地局
４  移動機
【図１】
2010097949.tif 000003
【図２】
2010097949.tif 000004
【図３】
2010097949.tif 000005
【図４】
2010097949.tif 000006
【図５】
2010097949.tif 000007
【図６】
2010097949.tif 000008
【図７】
2010097949.tif 000009
【図８】
2010097949.tif 000010
【図９】
2010097949.tif 000011
【図１０】
2010097949.tif 000012
【図１１】
2010097949.tif 000013
【図１２】
2010097949.tif 000014
【図１３】
2010097949.tif 000015
【図１４】
2010097949.tif 000016
【図１５】
2010097949.tif 000017
【図１６】
2010097949.tif 000018
【図１７】
2010097949.tif 000019
【図１８】
2010097949.tif 000020
【図１９】
2010097949.tif 000021
【図２０】
2010097949.tif 000022
【図２１】
2010097949.tif 000023
【国際調査報告】
2010097949.tif 000024
2010097949.tif 000025